(57)【要約】【課題】最新の番組を簡単に視聴することができるようにする。【解決手段】ユーザは、表示装置１３に表示された更新録画指定画面を参照し、録画を所望する番組のカテゴリを指定する。記録再生装置１１のコントローラ２９は、EPG記憶部２６に記憶されているEPGデータを参照し、ユーザの所望するカテゴリに属する番組を順次検出し、検出された番組を同一のファイルに上書き記録させる。また、コントローラ２９は、ユーザの指示に応じて、上書き記録されたファイルを再生させる。番組の再生中に、ユーザの所望するカテゴリに属する次の番組が検出された場合、コントローラ２９は、例えば、再生を継続するか否かをユーザに確認するなど、上書き記録制御以外の処理を行う。本発明は、例えば、記録再生装置に適用できる。【選択図】図２
2007150499.tif 000002
【特許請求の範囲】
【請求項１】
録画する番組の種類を決定する決定手段と、
これから放送される前記番組の番組情報に基づいて、前記決定手段により決定された前記種類に該当する前記番組を検出する検出手段と、
前記検出手段により順次検出される前記番組を、同一のファイルに上書き記録させるように記録制御する記録制御手段と、
前記決定手段により決定された前記種類の前記番組の前記ファイルを再生させるように再生制御する再生制御手段と
を備え、
前記記録制御手段は、前記番組の再生中に、前記種類に該当する次の前記番組が前記検出手段によって検出された場合、さらに、前記ファイルの上書き記録制御以外の処理を行う
記録再生装置。
【請求項２】
前記番組の再生を継続するか否かを前記ユーザに確認する確認手段をさらに備え、
前記記録制御手段は、前記番組の再生中に、前記種類に該当する次の前記番組が前記検出手段によって検出された場合、前記番組の再生を継続するか否かの確認を前記確認手段に行わせる
請求項１に記載の記録再生装置。
【請求項３】
前記記録制御手段は、前記番組の再生中に、前記種類に該当する次の前記番組が前記検出手段によって検出された場合、検出された前記次の前記番組を、再生中の前記番組の前記ファイルが記録されている領域と別の領域に記録させる
請求項１に記載の記録再生装置。
【請求項４】
前記決定手段は、前記種類と対応付ける所定の操作部も決定し、
前記再生制御手段は、前記所定の操作部が前記ユーザによって操作された場合、前記所定の操作部と対応付けられた前記種類の前記番組の前記ファイルを再生させる
請求項１に記載の記録再生装置。
【請求項５】
前記決定手段は、前記番組の放送局も決定し、
前記検出手段は、前記決定手段により決定された前記種類および前記放送局に該当する前記番組を検出する
請求項１に記載の記録再生装置。
【請求項６】
前記決定手段は、前記番組の放送時間を特定する時間も決定し、
前記検出手段は、前記決定手段により決定された前記種類に該当し、かつ、前記決定手段により決定された前記時間以上の放送時間を有する前記番組を検出する
請求項１に記載の記録再生装置。
【請求項７】
これから放送される番組の番組情報に基づいて、予め決定された前記番組の種類に該当する前記番組を検出し、
順次検出される前記番組を、同一のファイルに上書き記録させるように記録制御し、
決定された前記種類の前記番組の前記ファイルを再生させるように再生制御し、
前記番組の再生中に、前記種類に該当する次の前記番組が検出された場合、前記ファイルの上書き記録制御以外の処理を行う
ステップを含む記録再生方法。
【請求項８】
これから放送される番組の番組情報に基づいて、予め決定された前記番組の種類に該当する前記番組を検出し、
順次検出される前記番組を、同一のファイルに上書き記録させるように記録制御し、
決定された前記種類の前記番組の前記ファイルを再生させるように再生制御し、
前記番組の再生中に、前記種類に該当する次の前記番組が検出された場合、前記ファイルの上書き記録制御以外の処理を行う
ステップを含む処理をコンピュータに実行させるプログラム。
【請求項９】
記録するコンテンツのジャンルを決定する決定手段と、
これから送信されてくる前記コンテンツに関するコンテンツ情報に基づいて、前記決定手段により決定された前記ジャンルに該当する前記コンテンツを検出する検出手段と、
前記検出手段により順次検出される前記コンテンツを、同一のファイルに上書き記録させるように記録制御する記録制御手段と、
前記決定手段により決定された前記ジャンルの前記コンテンツの前記ファイルを再生させるように再生制御する再生制御手段と
を備え、
前記記録制御手段は、前記コンテンツの再生中に、前記ジャンルに該当する次の前記コンテンツが前記検出手段によって検出された場合、さらに、前記ファイルの上書き記録制御以外の処理を行う
記録再生装置。
【発明の詳細な説明】
【技術分野】
【０００１】
本発明は、記録再生装置および方法、並びにプログラムに関し、特に、最新の番組を簡単に視聴することができるようにする記録再生装置および方法、並びにプログラムに関する。
【背景技術】
【０００２】
テレビジョン放送番組（以下、単に番組という）を受信して、ビデオテープに録画（記録）するビデオテープレコーダの普及により、ユーザが、視聴を所望する番組を予約録画して、自分の都合の良い時間に（後で）視聴する、いわゆる「タイムシフト」という概念に基づく視聴スタイル（以下、この視聴スタイルで視聴することをタイムシフト視聴するという）が定着している。
【０００３】
また、近年、受信した番組をハードディスクに録画するハードディスクレコーダも急速に普及している。ハードディスクレコーダでは、ビデオテープの交換や巻戻し処理などが不要であり、大容量の記憶容量も備えていることから、ユーザは、より気軽に番組を予約録画することが可能となり、タイムシフト視聴する機会もより多くなってきている。
【０００４】
ビデオテープレコーダやハードディスクレコーダなどの従来の記録再生装置においては、番組を予約録画する場合、ユーザがEPG(Electronic Program Guide：電子番組表)などの番組情報を参照して視聴を所望する番組を選択し、または、視聴を所望する番組の放送時間およびチャンネルを指定する方法が一般的である。
【０００５】
従って、例えば、ユーザが、外出先から帰ってきたら最新のニュースを確認できるようにしたいと思った場合には、ユーザは、帰宅する時刻に合わせて（帰宅する時刻の直前に放送される）ニュース番組をその都度予約録画する必要がある。
【０００６】
また、その都度予約するのは煩わしいので、ニュースなどの所定のカテゴリ（種類）ごとに番組を録りだめしておく方法がある（例えば、特許文献１参照）。
【０００７】
【特許文献１】特開平８−６５６２２号公報
【発明の開示】
【発明が解決しようとする課題】
【０００８】
しかしながら、所定のカテゴリごとに番組を録りだめした場合には、ユーザは、録画された複数の番組のなかから最新の番組を自分で検索しなければならず、最新の番組を簡単に視聴するための改善が要請されている。
【０００９】
本発明は、このような状況に鑑みてなされたものであり、最新の番組を簡単に視聴することができるようにするものである。
【課題を解決するための手段】
【００１０】
本発明の第１の側面の記録再生装置は、録画する番組の種類を決定する決定手段と、これから放送される前記番組の番組情報に基づいて、前記決定手段により決定された前記種類に該当する前記番組を検出する検出手段と、前記検出手段により順次検出される前記番組を、同一のファイルに上書き記録させるように記録制御する記録制御手段と、前記決定手段により決定された前記種類の前記番組の前記ファイルを再生させるように再生制御する再生制御手段とを備え、前記記録制御手段は、前記番組の再生中に、前記種類に該当する次の前記番組が前記検出手段によって検出された場合、さらに、前記ファイルの上書き記録制御以外の処理を行う。
【００１１】
前記番組の再生を継続するか否かを前記ユーザに確認する確認手段をさらに設け、前記記録制御手段には、前記番組の再生中に、前記種類に該当する次の前記番組が前記検出手段によって検出された場合、前記番組の再生を継続するか否かの確認を前記確認手段に行わせることができる。
【００１２】
前記記録制御手段には、前記番組の再生中に、前記種類に該当する次の前記番組が前記検出手段によって検出された場合、検出された前記次の前記番組を、再生中の前記番組の前記ファイルが記録されている領域と別の領域に記録させることができる。
【００１３】
前記決定手段には、前記種類と対応付ける所定の操作部も決定させ、前記再生制御手段には、前記所定の操作部が前記ユーザによって操作された場合、前記所定の操作部と対応付けられた前記種類の前記番組の前記ファイルを再生させることができる。
【００１４】
前記決定手段には、前記番組の放送局も決定させ、前記検出手段には、前記決定手段により決定された前記種類および前記放送局に該当する前記番組を検出させることができる。
【００１５】
前記決定手段には、前記番組の放送時間を特定する時間も決定させ、前記検出手段には、前記決定手段により決定された前記種類に該当し、かつ、前記決定手段により決定された前記時間以上の放送時間を有する前記番組を検出させることができる。
【００１６】
本発明の第１の側面の記録再生方法は、これから放送される番組の番組情報に基づいて、予め決定された前記番組の種類に該当する前記番組を検出し、順次検出される前記番組を、同一のファイルに上書き記録させるように記録制御し、決定された前記種類の前記番組の前記ファイルを再生させるように再生制御し、前記番組の再生中に、前記種類に該当する次の前記番組が検出された場合、前記ファイルの上書き記録制御以外の処理を行うステップを含む。
【００１７】
本発明の第１の側面のプログラムは、これから放送される番組の番組情報に基づいて、予め決定された前記番組の種類に該当する前記番組を検出し、順次検出される前記番組を、同一のファイルに上書き記録させるように記録制御し、決定された前記種類の前記番組の前記ファイルを再生させるように再生制御し、前記番組の再生中に、前記種類に該当する次の前記番組が検出された場合、前記ファイルの上書き記録制御以外の処理を行うステップを含む処理をコンピュータに実行させる。
【００１８】
本発明の第１の側面においては、これから放送される番組の番組情報に基づいて、予め決定された前記番組の種類に該当する前記番組が検出され、順次検出される前記番組が、同一のファイルに上書き記録させるように記録制御され、決定された前記種類の前記番組の前記ファイルを再生させるように再生制御され、前記番組の再生中に、前記種類に該当する次の前記番組が検出された場合、前記ファイルの上書き記録制御以外の処理が行われる。
【００１９】
本発明の第２の側面の記録再生装置は、記録するコンテンツのジャンルを決定する決定手段と、これから送信されてくる前記コンテンツに関するコンテンツ情報に基づいて、前記決定手段により決定された前記ジャンルに該当する前記コンテンツを検出する検出手段と、前記検出手段により順次検出される前記コンテンツを、同一のファイルに上書き記録させるように記録制御する記録制御手段と、前記決定手段により決定された前記ジャンルの前記コンテンツの前記ファイルを再生させるように再生制御する再生制御手段とを備え、前記記録制御手段は、前記コンテンツの再生中に、前記ジャンルに該当する次の前記コンテンツが前記検出手段によって検出された場合、さらに、前記ファイルの上書き記録制御以外の処理を行う。
【００２０】
本発明の第２の側面においては、記録するコンテンツのジャンルが決定され、これから送信されてくる前記コンテンツに関するコンテンツ情報に基づいて、決定された前記ジャンルに該当する前記コンテンツが検出され、順次検出される前記コンテンツが、同一のファイルに上書き記録させるように記録制御され、決定された前記ジャンルの前記コンテンツの前記ファイルを再生させるように再生制御され、前記コンテンツの再生中に、前記ジャンルに該当する次の前記コンテンツが検出された場合、さらに、前記ファイルの上書き記録制御以外の処理を行われる。
【００２１】
記録再生装置は、独立した装置であっても良いし、所定の装置の記録再生処理を行うブロックであっても良い。
【発明の効果】
【００２２】
本発明の一側面によれば、最新の番組を簡単に視聴することができるようにする。
【発明を実施するための最良の形態】
【００２３】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２４】
本発明の第１の側面の記録再生装置（例えば、図１の記録再生装置１１）は、第１に、録画する番組の種類を決定する決定手段（例えば、図３の録画条件決定部５２）と、これから放送される前記番組の番組情報に基づいて、前記決定手段により決定された前記種類に該当する前記番組を検出する検出手段（例えば、図３の番組検出部５３）と、前記検出手段により順次検出される前記番組を、同一のファイルに上書き記録させるように記録制御する記録制御手段（例えば、図３の記録制御部５４）と、前記決定手段により決定された前記種類の前記番組の前記ファイルを再生させるように再生制御する再生制御手段（例えば、図３の再生制御部５５）とを備え、前記記録制御手段は、前記番組の再生中に、前記種類に該当する次の前記番組が前記検出手段によって検出された場合、さらに、前記ファイルの上書き記録制御以外の処理を行う。
【００２５】
本発明の第１の側面の記録再生装置は、第２に、前記番組の再生を継続するか否かを前記ユーザに確認する確認手段（例えば、図３の画面制御部５１）をさらに備え、前記記録制御手段は、前記番組の再生中に、前記種類に該当する次の前記番組が前記検出手段によって検出された場合、前記番組の再生を継続するか否かの確認を前記確認手段に行わせる。
【００２６】
本発明の第１の側面の記録再生方法またはプログラムは、これから放送される番組の番組情報に基づいて、予め決定された前記番組の種類に該当する前記番組を検出し（例えば、図７のステップＳ１１乃至Ｓ１５の処理）、順次検出される前記番組を、同一のファイルに上書き記録させるように記録制御し（例えば、図７のステップＳ１６の処理）、決定された前記種類の前記番組の前記ファイルを再生させるように再生制御し（例えば、図８のステップＳ３５）、前記番組の再生中に、前記種類に該当する次の前記番組が検出された場合、前記ファイルの上書き記録制御以外の処理を行う（例えば、図９のステップＳ５４）ステップを含む。
【００２７】
以下、図を参照して、本発明の実施の形態について説明する。
【００２８】
図１は、本発明を適用した記録再生システムの一実施の形態の構成例を示している。
【００２９】
図１の記録再生システム１は、記録再生装置１１、リモートコマンダ１２、および表示装置１３により構成されている。
【００３０】
記録再生装置１１は、放送局から送信されてくるテレビジョン放送番組（以下、単に番組という）の放送信号を受信して、番組（コンテンツ）の映像信号および音声信号を表示装置１３に供給したり、内蔵する記録媒体に記録する。また、記録再生装置１１は、記録媒体に記録しておいた番組の映像信号および音声信号を読み出し、表示装置１３に供給することもできる。ここで、記録再生装置１１が内蔵している記録媒体としては、後述するようにハードディスクであるとするが、DVD(Digital Versatile Disc)などのその他の記録媒体とすることも可能である。なお、放送信号には、番組に対応する映像信号および音声信号のほかに、EPG(Electronic Program Guide)に対応する番組情報（コンテンツ情報）の信号も含まれている。
【００３１】
リモートコマンダ１２は、各種の操作ボタンを有し、ユーザによって各種の操作ボタンが操作された場合、その操作ボタンに対応する操作信号を、赤外線信号として記録再生装置１１に送信する。ユーザは、リモートコマンダ１２を操作することにより、記録再生装置１１の動作（処理）を遠隔で指令することができる。
【００３２】
表示装置１３は、CRT（Cathode Ray Tube）、LCD(Liquid Crystal Display)、またはPDP(Plasma Display Panel)などで構成され、記録再生装置１１から供給される映像信号に対応する画像を表示するとともに、音声信号に対応する音声を出力する。
【００３３】
以上のように構成される記録再生システム１において、ユーザがリモートコマンダ１２を操作して、番組の録画の指示（予約）を記録再生装置１１に行うと、記録再生装置１１は、ユーザの指示に応じた番組を記録媒体に記録する（録画する）。
【００３４】
なお、以下においては、説明を簡単にするため、放送信号から得られる映像信号と音声信号のうち、映像信号についてのみ説明するが、音声信号についても映像信号と同様の処理が行われる。また、以下においては、番組の映像信号および音声信号を記録または再生することを、単に、番組の記録または再生という。
【００３５】
図２は、図１の記録再生装置１１の詳細な構成例を含む記録再生システム１のブロック図を示している。
【００３６】
記録再生装置１１は、アンテナ２１、チューナ部２２、圧縮伸長部２３、HDD（Hard Disk Drive）２４、スイッチ２５、EPG記憶部２６、OSD (On Screen Display)処理部２７、映像信号処理部２８、コントローラ２９、RAM（Random Access Memory）３０、ROM（Read Only Memory）３１、フラッシュメモリ３２、操作部３３、受光部３４、および通信部３５により構成されている。
【００３７】
アンテナ２１は、放送局から送信されてくる放送信号を受信し、チューナ部２２に供給する。チューナ部２２は、コントローラ２９の制御に基づいて放送局（チャンネル）を選局するとともに、放送信号を復調して、その結果得られる映像信号を、圧縮伸長部２３およびスイッチ２５に供給する。また、チューナ部２２は、放送信号に重畳されている番組情報のデータ（以下、EPGデータという）を分離して、EPG記憶部２６に供給する。なお、チューナ部２２が受信可能な放送信号としては、地上波または衛星波、アナログまたはディジタルなど特に限定されない。従って、例えば、チューナ部２２は、地上ディジタル放送、地上アナログ放送、BS (Broadcasting Satellite)またはC S(Communications Satellite)等の衛星（アナログまたはディジタル）放送などの放送信号を受信するようにさせることができる。また、チューナ部２２は、アンテナ２１で受信される放送信号のほかに、図示せぬ入力端子から供給されるケーブルテレビ放送の放送信号やインターネット等のネットワークを介して供給されるストリーミング放送の放送信号を受信するようにしてもよい。
【００３８】
なお、本実施の形態では、チューナ部２２は、例えば、地上アナログ放送の放送信号を復調する１つのチューナを有していることとするが、２以上のチューナを有するようにしてもよく、その場合、複数のチューナは、例えば、地上アナログ放送と、地上ディジタル放送など、異なる種類の放送信号を受信するものでもよい（同一の種類の放送信号でも勿論良い）。
【００３９】
圧縮伸長部２３は、コントローラ２９の制御に従って、映像信号の圧縮処理および伸長処理を行う。より詳しくは、圧縮伸長部２３は、チューナ部２２から供給される映像信号を、例えば、MPEG2(Moving Picture Experts Group-2）などの所定の規格に従って圧縮（符号化）し、HDD２４に供給する。また、圧縮伸長部２３は、HDD２４から供給される、所定の規格に従って圧縮されている映像信号を伸長（復号）し、スイッチ２５に供給する。
【００４０】
HDD２４は、コントローラ２９の制御に従って、内蔵するハードディスクに（圧縮処理された）映像信号を書き込んだり、ハードディスクに記録されている映像信号を読み出し、圧縮伸長部２３に供給する。
【００４１】
スイッチ２５は、コントローラ２９の制御にしたがい、内部の端子部２５ａと２５ｂとを切り替えて、映像信号処理部２８に出力する映像信号を切り替える。端子部２５ａには、チューナ部２２から出力された映像信号が供給され、端子部２５ｂには、圧縮伸長部２３から出力された映像信号が供給されるようになされている。ユーザが、いま放送されている番組をリアルタイムで視聴する場合には、コントローラ２９は、端子部２５ａを選択させ、チューナ部２２で受信された所定の放送局の映像信号が映像信号処理部２８に供給される。一方、ユーザが、HDD２４に記録されている番組をタイムシフト視聴する場合には、コントローラ２９は、端子部２５ｂを選択させ、HDD２４から読み出された映像信号が映像信号処理部２８に供給される。
【００４２】
EPG記憶部２６は、チューナ部２２から供給されるEPGデータを記憶する。ここに記憶されているEPGデータは、コントローラ２９によって参照される。なお、EPGデータは、HDD２４に記憶させるようにしてもよい。
【００４３】
OSD処理部２７は、コントローラ２９からの指示に従って、番組の画像に重畳表示させる所定の文字や画像に対応する信号（OSD信号）を生成し、映像信号処理部２８に供給する。例えば、OSD処理部２７は、いま選局されているチャンネル（の数字）や音声のボリュームなどを表す画像となるOSD信号を生成する。
【００４４】
映像信号処理部２８には、スイッチ２５から、アンテナ２１で受信された番組の映像信号か、または、HDD２４から読み出された番組の映像信号が供給される。
【００４５】
また、映像信号処理部２８には、放送日、放送開始時刻、放送終了時刻、およびチャンネルなどを指定して所定の番組の録画の予約を行うときに表示装置１３に表示させる録画予約画面（Graphical User Interface）などに対応する映像信号が、コントローラ２９から供給される。
【００４６】
映像信号処理部２８は、スイッチ２５またはコントローラ２９から供給される映像信号を、NTSC (National Television System Committee)方式やPAL (Phase Alternation by Line)方式、またはSECAM(SEquential Couleur A Memoire)方式などの所定の方式の映像信号に変換し、表示装置１３に出力する。
【００４７】
また、映像信号処理部２８は、スイッチ２５またはコントローラ２９からの映像信号と同時に、OSD処理部２８からOSD信号も供給された場合、スイッチ２５またはコントローラ２９からの画像に、OSD処理部２８からの文字や画像が重畳表示されるように、スイッチ２５またはコントローラ２９からの映像信号とOSD処理部２８からのOSD信号を合成した映像信号を表示装置１３に出力する。
【００４８】
なお、記録再生装置１１と表示装置１３とは、RCAケーブルやアナログRGBなどのアナログのインタフェースで接続される他に、HDMI（High-Definition Multimedia Interface）やDVI(Digital Visual Interface)などのディジタルのインタフェースによって接続されてもよく、その場合、映像信号処理部２８は、スイッチ２５またはコントローラ２９から供給される映像信号を、アナログの映像信号には変換せず、そのインタフェースに応じたフォーマットの映像信号に変換して出力する。
【００４９】
コントローラ２９は、例えば、CPU（Central Processing Unit）を備えるマイクロコンピュータ等で構成され、記録再生装置１１の各部を制御する。例えば、コントローラ２９は、EPG記憶部２６に記憶されているEPGデータに基づく番組の録画制御を行う。即ち、コントローラ２９は、ユーザに指定された番組を録画するように、チューナ部２２に対して受信する放送局を指定し、圧縮伸長部２３に対して映像信号の圧縮処理を指示し、HDD２４に対して記録動作を指示する。
【００５０】
また例えば、コントローラ２９は、ユーザの操作に基づいて、HDD２４に記録されている番組の再生制御を行う。即ち、コントローラ２９は、圧縮伸長部２３に対して映像信号の伸長処理を指示し、HDD２４に対してユーザに指定された番組の映像信号の読み出しを指示し、スイッチ２５に対して端子部２５ｂの選択指示を行う。さらにコントローラ２９は、上述した録画予約画面となる映像信号の生成、OSD処理部２７に対するOSD信号の生成指示なども行う。
【００５１】
RAM３０は、ROM３１から読み出されてコントローラ２９で実行される起動モジュールやOS（Operating System）等のプラットフォームソフトウェアプログラム、アプリケーションプログラム等を記憶する。また、RAM３０は、各種演算処理に用いられる変数や実行中に適宜変化する設定値なども必要に応じて記憶する。
【００５２】
ROM３１は、上述の起動モジュールやプラットフォームソフトウェアプログラム、アプリケーションプログラムなどを記憶する。フラッシュメモリ３２は、記録再生装置１１においてユーザにより設定された各種の設定値やユーザの視聴履歴情報など、電源がオフされても保持する必要のあるデータを記憶する。
【００５３】
操作部３３は、例えば、記録再生装置１１の前面（正面）に設けられた、電源ボタン、再生ボタン、停止ボタンなどの各種の操作ボタンで構成され、それらの操作ボタンがユーザによって操作された場合に、操作された操作ボタンに対応する操作信号をコントローラ２９に供給する。
【００５４】
受光部３４は、リモートコマンダ１２から送信されてくる赤外線信号を受信し、リモートコマンダ１２での操作に対応する操作信号に変換し、コントローラ２９に供給する。なお、リモートコマンダ１２と受光部３４との間の通信は、赤外線方式に限らず、その他の方式（例えば、電波による方式）を採用しても良い。
【００５５】
通信部３５は、インターネットなどのネットワーク４１を介してサーバ４２と必要に応じて接続することができ、サーバ４２が提供するストリーミング放送の放送信号やEPGデータなどを取得し、コントローラ２９に供給する。このサーバ４２は、例えば、放送局が運営し、自局の放送内容の情報を提供する情報提供サーバなどである。
【００５６】
以上のように構成される記録再生装置１１は、EPG記憶部２６に記憶されているEPGデータを利用して、これから放送される番組の番組表を表示装置１３に表示させ、それを参照したユーザによって指定された番組の録画を実行することができる。
【００５７】
また、記録再生装置１１は、視聴を所望する番組のカテゴリをユーザに指定させ、指定されたカテゴリに属する番組をEPGデータに基づいて順次検出し、検出された番組を同一のファイルに上書き記録する機能（更新録画機能という）を有している。この更新録画機能により、ユーザによって指定されたカテゴリに属する番組であって、最新の番組が常にHDD２４に記録されている状態となる。
【００５８】
ユーザは、更新録画機能を、例えば、次のような目的で利用することができる。
【００５９】
例えば、ユーザが、何時に外出先から帰ってきても、その時点で最新のニュース番組を視聴したいと考えた場合、更新録画機能において、録画を所望する番組のカテゴリとして「ニュース」というカテゴリを指定する。記録再生装置１１では、EPGデータに基づいて、「ニュース」カテゴリに属する番組（ニュース番組）が検出されるごとに、HDD２４に更新録画（上書き記録）される。これにより、ユーザは、何時に外出先から帰ってきても、その時点で最新のニュース番組を視聴することができる。
【００６０】
また例えば、ユーザが、最新の天気予報を確認したいと考えた場合、更新録画機能において、録画を所望する番組のカテゴリとして「天気」というカテゴリを指定する。記録再生装置１１では、EPGデータに基づいて、「天気」カテゴリに属する番組（天気予報）が検出されるごとに、HDD２４に更新録画（上書き記録）される。これにより、ユーザは、いつでも最新の天気予報を確認することができる。
【００６１】
そこで、図３は、記録再生装置１１が更新録画機能を実行する場合の、コントローラ２９の機能的構成を表すブロック図を示している。
【００６２】
コントローラ２９は、画面制御部５１、録画条件決定部５２、番組検出部５３、記録制御部５４、および再生制御部５５により構成されている。なお、これらコントローラ２９内の各ブロックは、必要に応じて相互に信号（データ）を授受することが可能とされている。
【００６３】
画面制御部５１は、更新録画機能を実行するための録画条件を設定する操作ボタンを表す操作信号が操作部３３または受光部３４から供給された場合、表示装置１３に表示させる更新録画指定画面の映像信号を生成し、映像信号処理部２８に供給する。更新録画指定画面では、図４を参照して後述するように、更新録画機能として録画を実行する番組のカテゴリ（ジャンル）やチャンネル（放送局）などが設定可能である。なお、以下では、更新録画機能として録画する番組（または録画した番組）を更新録画番組という。
【００６４】
録画条件決定部５２は、更新録画指定画面が表示装置１３に表示されているときに操作部３３または受光部３４から供給される操作信号を受信し、ユーザによって指定された、更新録画機能として録画を実行する番組の条件（録画条件）を決定する。ここで、決定された録画条件（の設定値）は、番組検出部５３に供給されるとともに、フラッシュメモリ３２に記憶される。
【００６５】
番組検出部５３は、EPG記憶部２６に記憶されているEPGデータに基づいて、これから放送される番組のなかから、ユーザが更新録画機能で設定した録画条件に合致（該当）する番組を検出する。ユーザが更新録画機能で設定した録画条件に合致する番組が検出された場合、番組検出部５３は、その検出された番組の情報（チャンネル、放送開始時刻、放送終了時刻など）を記録制御部５４に供給する。
【００６６】
記録制御部５４は、番組検出部５３から、ユーザが更新録画機能で設定した録画条件に合致する番組の情報が供給された場合、チューナ部２２、圧縮伸長部２３、およびHDD２４を制御して、指定された番組をHDD２４に記録させる。
【００６７】
再生制御部５５は、更新録画機能でHDD２４に録画しておいた番組（更新録画番組）の再生がユーザにより指示された場合、チューナ部２２、圧縮伸長部２３、HDD２４、およびスイッチ２５を制御して、HDD２４に録画しておいた更新録画番組を再生させる。
【００６８】
図４は、更新録画機能として録画を実行する番組の条件（録画条件）を決定する場合に表示装置１３に表示される、更新録画指定画面６１の画面例を示している。
【００６９】
更新録画指定画面６１の最上部には、更新録画機能による番組を指定する画面であることを表す「更新録画指定」のタイトルが表示されている。
【００７０】
更新録画指定画面６１のタイトルの下方には、更新録画番組を指定するための指定項目として、上から順に、カテゴリ選択リストボックス７１、チャンネル指定チェックボックス７２、チャンネル選択リストボックス７３、時間指定チェックボックス７４、時間入力テキストボックス７５、ボタン割り当てチェックボックス７６、ボタン選択リストボックス７７、および終了ボタン７８が設けられている。
【００７１】
カテゴリ選択リストボックス７１では、更新録画番組のカテゴリが選択される。リストボックス右側の三角マークがユーザの操作によって選択されると、予め登録してある複数のカテゴリ（のリスト）が表示される。ユーザは、リストボックスに表示されている複数のカテゴリのなかから所望のカテゴリを選択する。ここで、リストボックスに表示されるカテゴリとしては、上述した「ニュース」や「天気」などのほかに、例えば、「占い」や「ラーメン」などがある。
【００７２】
チャンネル指定チェックボックス７２の右側には、「指定チャンネルの場合のみ録画する」と表示されており、更新録画番組を所定のチャンネルだけに限定する場合に、チャンネル指定チェックボックス７２がチェックされる。チャンネル選択リストボックス７３は、チャンネル指定チェックボックス７２がチェック（オン）されている場合に有効となり、チューナ部２２で受信可能な複数のチャンネルなかから１つのチャンネルが選択可能となる。チャンネル指定チェックボックス７２では、リストボックス右側の三角マークがユーザの操作によって選択されると、チューナ部２２で受信可能な複数のチャンネル（放送局）が表示される。なお、図４の例では、「NMK総合」という放送局名が表示されている例を示しているが、チャンネル番号（「１」や「５」など）で表示してもよい。
【００７３】
時間指定チェックボックス７４の右側には、「一定時間以上の番組の場合のみ録画する」と表示されており、更新録画番組の放送時間を限定する場合に、時間指定チェックボックス７４がチェックされる。時間入力テキストボックス７５は、時間指定チェックボックス７４がチェックされている場合に有効となり、更新録画番組の放送時間が少なくとも何分以上でなければいけないかを表す数値が入力可能となる。これにより、時間入力テキストボックス７５に入力された時間より少ない放送時間の番組は、カテゴリ選択リストボックス７１で選択されたカテゴリに属する番組であっても更新録画されない（時間入力テキストボックス７５に入力された時間より少ない放送時間の番組を更新録画の対象から除外することができる）。
【００７４】
なお、本実施の形態では、一定時間以上の放送時間を有する番組の場合のみ録画する条件としているが、一定時間以下の放送時間を有する番組の場合のみ録画する条件としてもよいし、放送時間の範囲（上限と下限）を設定するようにしてもよい。
【００７５】
ボタン割り当てチェックボックス７６の右側には、「特定のボタンの押下でこの録画を再生する」と表示されており、ボタン選択リストボックス７７で指定された操作ボタンが押下されたときに、HDD２４に録画されている、カテゴリ選択リストボックス７１で選択されたカテゴリの更新録画番組を再生するようにさせる場合に、ボタン割り当てチェックボックス７６がチェックされる。従って、ボタン割り当てチェックボックス７６がチェックされている場合、ボタン選択リストボックス７７で選択された操作ボタンの押下が、ユーザによる更新録画番組の再生指令と認識される。即ち、カテゴリ選択リストボックス７１で選択されたカテゴリと、ボタン選択リストボックス７７で指定された操作ボタンとが対応付けられる。
【００７６】
ボタン選択リストボックス７７は、ボタン割り当てチェックボックス７６がチェックされている場合に有効となり、リモートコマンダ１２が有する複数の操作ボタンが選択可能となる。ユーザは、例えば、字幕ボタンや入力切り替えボタン、または（放送がないチャンネルに相当する）２チャンネルボタンなどの、普段あまり使用しない操作ボタンを、更新録画番組を再生させるための操作ボタンとして割り当てる。なお、図４の例では、字幕ボタンが選択されている例が示されている。これにより、例えば、ユーザが外出先から帰宅してすぐにニュース番組を視聴したいときなど、予め設定しておいた操作ボタンを操作するだけで、最新のニュース番組（最新の情報）を再生させ、視聴することができる。
【００７７】
更新録画指定画面６１では、カテゴリ選択リストボックス７１によるカテゴリは、更新録画番組の録画条件を決定するための必須の条件であるが、それ以外のチャンネル指定チェックボックス７２によるチャンネル、時間指定チェックボックス７４による放送時間、およびボタン割り当てチェックボックス７６による再生指示操作ボタンの割り当てについては、任意に設定することができる。
【００７８】
上述のリストボックスおよびチェックボックス等による更新録画番組の設定が完了した場合、終了ボタン７８がユーザにより押下される。これにより、コントローラ２９の録画条件決定部５２は、少なくともカテゴリを含む更新録画番組の録画条件を決定（確定）し、フラッシュメモリ３２に記憶させる。
【００７９】
なお、更新録画指定画面６１では、カテゴリ選択リストボックス７１に表示される複数のカテゴリそれぞれについて、録画条件を設定し、フラッシュメモリ３２に記憶させておくことができる。
【００８０】
例えば、「ニュース」カテゴリに属する番組の更新録画を字幕ボタンに割り当てて登録し（録画条件としてフラッシュメモリ３２に記憶させ）、かつ、「天気」カテゴリに属する番組の更新録画を２チャンネルボタンに割り当てて登録した場合、ユーザは、HDD２４に録画された最新のニュース番組を視聴したいときには、字幕ボタンを押下し、最新の天気予報を視聴したいときには、２チャンネルボタンを押下することで、即座に、所定のカテゴリに属する最新の番組を視聴することができる。即ち、複数のカテゴリについて、最新の番組を好きなときに簡単に視聴することができる。
【００８１】
なお、録画条件を設定した複数のカテゴリそれぞれについて、互いの優先度を登録するようにして、同一時刻に複数のカテゴリの録画するべき番組が検出された場合には、優先度の高いカテゴリの更新録画番組を録画するようにさせることができる。また、記録再生装置１１が複数のチューナを備えている場合には、同一時刻に放送される、複数のカテゴリの番組をすべて検出するようにしてもよい。さらに、記録再生装置１１が複数のチューナを備えている場合には、同一カテゴリに属する番組が同一時刻に複数検出された場合も、同時に録画してもよい。
【００８２】
図５は、図４の更新録画指定画面６１において、カテゴリ選択リストボックス７１だけが指定され、そのカテゴリ選択リストボックス７１では「ニュース」カテゴリが選択された場合の、更新録画番組として検出される番組の検出結果例を示している。
【００８３】
カテゴリ選択リストボックス７１以外のチェックボックスがチェックされず、カテゴリ選択リストボックス７１では「ニュース」カテゴリが選択された場合、「ニュース」カテゴリに属する番組であれば、放送局（チャンネル）、放送時間に関わらず更新録画番組として検出される。
【００８４】
即ち、図５に示す、ある日時の放送予定番組のなかでは、更新録画番組として、太線で示されている番組が検出され、最初に、２０時５０分から１チャンネルのNMK総合（放送局名）で放送される、放送時間が１０分間の番組「各地のニュース・天気」が更新録画され、次に、２１時から１チャンネルのNMK総合で放送される、放送時間が１５分間の番組「ニューストゥデイ」が更新録画される。
【００８５】
続いて、２１時５４分から６チャンネルのTBC（放送局名）で放送される、放送時間が６分間の番組「ニュース」が更新録画され、さらに、２２時から１チャンネルのNMK総合で放送される、放送時間が５５分間の番組「ニュースナイト」が更新録画される。
【００８６】
次に、図６は、図４の更新録画指定画面６１において、カテゴリ選択リストボックス７１の他に、チャンネル指定チェックボックス７２と時間指定チェックボックス７４もチェックされ、カテゴリ選択リストボックス７１では「ニュース」カテゴリが選択され、チャンネル指定チェックボックス７２では、１チャンネルのNMK総合が指定され、さらに時間指定チェックボックス７４では、１５分以上が指定された場合の、図５と同一の日時の番組に対し、更新録画番組として検出される番組の検出結果例を示している。
【００８７】
この場合、１チャンネルのNMK総合の放送局であることと、放送時間が１５分以上の番組であることに更新録画番組が限定されるので、図６の例では、図５の例と比較して、２０時５０分から１チャンネルのNMK総合で放送される、放送時間が１０分間の番組「各地のニュース・天気」と、２１時５４分から６チャンネルのTBCで放送される、放送時間が６分間の番組「ニュース」が、更新録画番組から除外されている。
【００８８】
即ち、図６において太線で示されている、２１時から１チャンネルのNMK総合で放送される、放送時間が１５分間の番組「ニューストゥデイ」と、２２時から１チャンネルのNMK総合で放送される、放送時間が５５分間の番組「ニュースナイト」とのみが更新録画番組として検出される。
【００８９】
このように、所定のカテゴリ（種類）に属する番組であっても、番組のチャンネル（放送局）や、番組の放送時間を限定することで、例えば、１時間番組の間に放送される５分程度のニュース番組は録画しないなどの、更新録画番組のより詳細な指定が可能となる。
【００９０】
次に、図７のフローチャートを参照して、更新録画指定画面６１で設定された録画条件に基づいて更新録画番組を検出する更新録画番組検出処理について説明する。
【００９１】
初めに、ステップＳ１１において、番組検出部５３は、EPG記憶部２６に記憶されているEPGデータを参照して、例えば、これから１０分先以内の時刻に放送が開始される番組のなかに、更新録画指定画面６１のカテゴリ選択リストボックス７１で指定されたカテゴリと合致する番組があるか否かを判定し、指定されたカテゴリと合致する番組があると判定されるまで待機する。なお、ステップＳ１１で、カテゴリ選択リストボックス７１で指定されたカテゴリと合致する番組として番組検出部５３によって検出された番組を、以下において検出番組という。
【００９２】
ステップＳ１１で、指定されたカテゴリと合致する番組があると判定された場合、ステップＳ１２に進み、番組検出部５３は、チャンネルの指定がされているか否か、即ち、更新録画指定画面６１においてチャンネル指定チェックボックス７２がチェックされていたか否かを判定する。
【００９３】
ステップＳ１２で、チャンネルの指定がされていたと判定された場合、ステップＳ１３に進み、番組検出部５３は、検出番組がチャンネル選択リストボックス７３で指定されたチャンネルであるか否かを判定する。ステップＳ１３で、検出番組がチャンネル選択リストボックス７３で指定されたチャンネルでないと判定された場合、ステップＳ１１に処理が戻される。
【００９４】
一方、ステップＳ１３で、検出番組がチャンネル選択リストボックス７３で指定されたチャンネルであると判定された場合、および、ステップＳ１２で、チャンネルの指定がされていないと判定された場合、ステップＳ１４に進み、番組検出部５３は、放送時間が指定されているか否か、即ち、更新録画指定画面６１の時間指定チェックボックス７４がチェックされていたか否かを判定する。
【００９５】
ステップＳ１４で、放送時間が指定されていないと判定された場合、番組検出部５３は、ステップＳ１５をスキップし、ステップＳ１６に進む。
【００９６】
一方、ステップＳ１４で、放送時間が指定されていると判定された場合、即ち、時間指定チェックボックス７４がチェックされていた場合、ステップＳ１５に進み、番組検出部５３は、検出番組が時間入力テキストボックス７５で指定された時間以上の放送時間を有する番組であるか否かを判定する。
【００９７】
ステップＳ１５で、検出番組が指定された時間以上の放送時間を有する番組ではないと判定された場合、ステップＳ１１に処理が戻される。
【００９８】
一方、ステップＳ１５で、検出番組が指定された時間以上の放送時間を有する番組であると判定された場合、ステップＳ１６に進み、番組検出部５３は、検出番組の情報（チャンネル、放送開始時刻、放送終了時刻など）を記録制御部５４に供給する。記録制御部５４は、チューナ２２、圧縮伸長部２３、およびHDD２４などを制御して、検出番組を更新録画番組としてHDD２４に録画させて、ステップＳ１１に処理を戻す。そして、ステップＳ１１以降の上述した処理が繰り返される。
【００９９】
なお、ステップＳ１６では、記録制御部５４が、検出番組（更新録画番組）を１つのファイルとしてHDD２４に記録させるときのファイル名に、例えば、カテゴリ選択リストボックス７１で選択されたカテゴリに対応する固定の名前（識別タイトル）を付けるなどして、時系列に順次検出される検出番組が同一のファイルとして上書き記録されるように制御する。
【０１００】
次に、図８のフローチャートを参照して、HDD２４に記録された更新録画番組を再生する場合の再生処理について説明する。この処理は、例えば、操作部３３または受光部３４から操作信号がコントローラ２９に供給された場合に開始される。
【０１０１】
初めに、ステップＳ３１において、再生制御部５５は、操作部３３または受光部３４から供給された操作信号が、更新録画指定画面６１のボタン選択リストボックス７７で割り当てられた操作ボタンの押下を表す操作信号であるか否かを判定する。
【０１０２】
ステップＳ３１で、操作部３３または受光部３４から供給された操作信号が、ボタン選択リストボックス７７で割り当てられた操作ボタンの押下を表す操作信号ではないと判定された場合、ステップＳ３４に進む。また、更新録画指定画面６１で更新録画番組の再生を指示する操作ボタンが割り当てられていない場合、即ち、ボタン割り当てチェックボックス７６がチェックされていない場合も、ステップＳ３４に進む。
【０１０３】
ステップＳ３１で、操作部３３または受光部３４から供給された操作信号が、ボタン選択リストボックス７７で割り当てられた操作ボタンの押下を表す操作信号であると判定された場合、ステップＳ３２に進み、再生制御部５５は、HDD２４を制御して、ボタン選択リストボックス７７で指定された操作ボタンと対応付けられたカテゴリに属する更新録画番組がHDD２４に録画されているか否かを判定する。
【０１０４】
ステップＳ３２で、ボタン選択リストボックス７７で指定された操作ボタンと対応付けられたカテゴリに属する更新録画番組がHDD２４に録画されていないと判定された場合、ステップＳ３３に進み、再生制御部５５は、更新録画番組が録画されていない旨を画面制御部５１に供給し、画面制御部５１は、その旨のメッセージを表示させる命令をOSD処理部２７に供給する。OSD処理部２７は、更新録画番組が録画されていない旨のメッセージに対応するOSD信号を映像信号処理部２８に供給し、表示装置１３に表示させる。
【０１０５】
ステップＳ３３の処理後、ステップＳ３４に進み、コントローラ２９は、操作部３３または受光部３４から供給された操作信号に対応するデフォルトの機能を実行する。
【０１０６】
一方、ステップＳ３２で、ボタン選択リストボックス７７で指定された操作ボタンと対応付けられたカテゴリに属する更新録画番組がHDD２４に録画されていると判定された場合、ステップＳ３５に進み、再生制御部５５は、チューナ２２、圧縮伸長部２３、およびHDD２４などを制御して、HDD２４に録画されている、ボタン選択リストボックス７７で指定された操作ボタンと対応付けられたカテゴリに属する更新録画番組の再生を開始して、処理を終了する。
【０１０７】
以上のように、更新録画指定画面６１において、所定のカテゴリに属する番組の録画指定と、それによって録画された番組を再生させるための操作ボタンを割り当てることにより、ユーザは、ワンタッチの操作で（簡単に）、録画されている更新録画番組（最新の番組）を視聴することができる。
【０１０８】
なお、図８の再生処理では、更新録画指定画面６１のボタン選択リストボックス７７で割り当てられた操作ボタンが操作され、更新録画番組がHDD２４に録画されている場合には、割り当てられた操作ボタンがデフォルトで有する機能を実行していないが、操作ボタンに対応付けられた更新録画番組の再生とともに、割り当てられた操作ボタンがデフォルトで有する機能も実行するようにさせることができる。ここで、デフォルトの機能と更新録画番組の再生のどちらを最初に実行するかについては、割り当てられた操作ボタンに応じて適宜設定する。例えば、割り当てられた操作ボタンが電源ボタンである場合には、コントローラ２９は、デフォルトの機能である電源のオン後に、更新録画番組の再生を行うようにする。
【０１０９】
ところで、上述した再生処理によってHDD２４に録画されている更新録画番組を再生中に、更新録画番組として次に録画すべき番組が検出される場合が考えられる。その更新録画番組として次に録画すべき番組もユーザが視聴を所望する（さらに最新の）番組のはずである。そこで、記録再生装置１１は、HDD２４に録画されている更新録画番組の再生中に更新録画番組として次に録画すべき番組が検出された場合、そのまま現在の再生を継続するか、または、更新録画番組として検出された、より新しい番組を表示装置１２で表示するかをユーザに確認する。
【０１１０】
図９は、HDD２４に録画されている更新録画番組の再生中における更新録画番組検出処理のフローチャートである。
【０１１１】
初めに、ステップＳ５１において、番組検出部５３は、再生中の更新録画番組の再生終了時刻を確認し、ステップＳ５２に進む。
【０１１２】
ステップＳ５２において、番組検出部５３は、再生中の更新録画番組の再生終了時刻までに、次の更新録画番組として録画すべき番組があるか否かを判定する。このステップＳ５２における判定では、図７のステップＳ１１乃至Ｓ１５の処理と同様の処理が行われ、更新録画指定画面６１で設定された録画条件に合致する番組が検出されたか否かにより、次の更新録画番組として録画すべき番組があるか否かが判定される。この録画すべき番組は、図７のステップＳ１１乃至Ｓ１５の処理で検出された検出番組に相当する。
【０１１３】
ステップＳ５２で、録画すべき番組がないと判定された場合、番組検出部５３は、ステップＳ５３乃至Ｓ５７の処理をスキップし、更新録画番組検出処理を終了する。
【０１１４】
一方、ステップＳ５２で、録画すべき番組があると判定された場合、ステップＳ５３に進み、番組検出部５３は、録画すべき番組の放送開始１０分前の時刻となったか否かを判定し、放送開始１０分前の時刻と判定されるまで待機する。ここで、放送開始時刻の１０分前とは、現在の再生を継続するか、または、より新しい番組を表示するかをユーザに選択させるために十分な時間であればよく、１０分という長さには特に限定されず、任意の時間に設定することができる。
【０１１５】
ステップＳ５３において、録画すべき番組の放送開始１０分前の時刻となったと判定された場合、ステップＳ５４に進み、番組検出部５３は、更新録画番組の再生中に録画すべき番組が存在する旨を記録制御部５４に供給する。記録制御部５４は、切り替えの確認メッセージを表示させるように画面制御部５１に指令する。画面制御部５１は、切り替えの確認メッセージを表示させる命令をOSD処理部２７に供給する。これにより、表示装置１３には、図１０に示すような、切り替えの確認メッセージが表示される。
【０１１６】
即ち、図１０は、更新録画番組の再生中に切り替えの確認メッセージが表示された表示装置１３の画面例を示している。
【０１１７】
図１０に示す画面例では、更新録画番組を再生した画像として、動物園の馬の画像８１が表示されており、その画像８１に切り替えの確認メッセージ８２が重畳表示されている。
【０１１８】
切り替えの確認メッセージ８２には、「２２：００からニュースが始まりますが切り替えますか？[OK]ボタンか[キャンセル]ボタンを押してください」のメッセージが表示されている。このメッセージを視認したユーザは、２２：００から始まるニュースを視聴する場合には、リモートコマンダ１２等のOKボタンを押下し、このまま再生中の更新録画番組を視聴する場合には、キャンセルボタンを押下する。
【０１１９】
ステップＳ５４において図１０に示した切り替えの確認メッセージを表示した後、OKボタンが押下されたか、または、キャンセルボタンが押下されたかを表す操作信号が再生制御部５５によって取得され、再生制御部５５は、図９のステップＳ５５において、録画すべき番組への切り替えがユーザによって指示されたか否かを判定する。
【０１２０】
ステップＳ５５で、切り替えが指示されなかったと判定された場合、即ち、キャンセルボタンが押下された場合、ステップＳ５６およびＳ５７をスキップし、更新録画番組検出処理を終了する。即ち、再生制御部５５は、現在再生中の更新録画番組をそのまま再生する。
【０１２１】
一方、ステップＳ５５で、切り替えが指示されたと判定された場合、即ち、OKボタンが押下された場合、ステップＳ５６に進み、再生制御部５５は、録画すべき番組の放送開始時刻となるまで待機する。
【０１２２】
そして、ステップＳ５６で、録画すべき番組の放送開始時刻となったと判定された場合、ステップＳ５７に進み、再生制御部５５は、チューナ２２、圧縮伸長部２３、およびHDD２４などを制御して、録画すべき番組の画像に切り替えて、更新録画番組検出処理を終了する。
【０１２３】
即ち、ステップＳ５７において、再生制御部５５は、更新録画番組の再生を中止させ、録画すべき番組のチャンネルをチューナ２２に選局させて、チューナ２５からの出力を映像信号処理部２８に出力するようにスイッチ２５を制御させる。なお、ステップＳ５７では、表示装置１３に出力する画像を切り替えるのみで、切り替え後の番組はHDD２４には録画しないこととする。この場合、ユーザは、リアルタイムで放送される番組を視聴することもできて、さらに、切り替え直前まで視聴していたHDD２４に録画済みの更新録画番組も、後から視聴することができる。なお、表示装置１３に出力する画像を切り替える他、HDD２４にも同時に記録（録画）するようにしてもよい。
【０１２４】
以上のように、図９の更新録画番組検出処理によれば、HDD２４に録画されている更新録画番組の再生中であっても、（更新録画指定画面６１で設定された）所望のカテゴリに属する最新の番組が放送される場合には、その旨をユーザに通知することにより、ユーザは、再生中の番組を継続して視聴するか、または、これから放送される最新の番組を視聴するか否かを選択することができる。従って、ユーザは、HDD２４に録画されている更新録画番組の再生中であっても、より新しい情報（番組）を取得することができる。
【０１２５】
なお、図９の更新録画番組検出処理では、番組検出部５３が更新録画番組の再生中に録画すべき番組が存在する旨を記録制御部５４に供給し、記録制御部５４が画面制御部５１に確認メッセージ８２を重畳表示させるように指令したが、記録制御部５４は、再生中の番組を継続するか否かを確認せずに、いま再生中の番組のファイルが記録されている領域と別の領域に、録画すべき番組を記録させるように記録制御してもよい。ここで、録画すべき番組を記録する別の領域は、HDD２４の中の更新録画番組（いま再生中の番組）が記録されているファイルの領域と異なる領域であってもよいし、RAM３０やフラッシュメモリ３２などの領域でもよい。
【０１２６】
また、本実施の形態では、更新録画指定画面６１において、カテゴリを指定することにより更新録画番組の種類を決定するようにしたが、カテゴリ以外の方法によって更新録画番組の種類を決定することもできる。例えば、複数のキーワードを入力（登録）するようにして、入力されたキーワードを含む番組を特定することによって、更新録画番組の種類を決定することができる。
【０１２７】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１２８】
図１１は、上述した一連の処理をプログラムにより実行するパーソナルコンピュータの構成の例を示すブロック図である。CPU（Central Processing Unit）１０１は、ROM（Read Only Memory）１０２、または記憶部１０８に記憶されているプログラムに従って各種の処理を実行する。RAM（Random Access Memory）１０３には、CPU１０１が実行するプログラムやデータなどが適宜記憶される。これらのCPU１０１、ROM１０２、およびRAM１０３は、バス１０４により相互に接続されている。
【０１２９】
CPU１０１にはまた、バス１０４を介して入出力インタフェース１０５が接続されている。入出力インタフェース１０５には、キーボード、マウス、マイクロホンなどよりなる入力部１０６、CRT(Cathode Ray Tube)、LCD(Liquid Crystal display)などよりなるディスプレイ、スピーカなどよりなる出力部１０７が接続されている。CPU１０１は、入力部１０６から入力される指令に対応して各種の処理を実行する。そして、CPU１０１は、処理の結果を出力部１０７に出力する。
【０１３０】
入出力インタフェース１０５に接続されている記憶部１０８は、例えばハードディスクからなり、CPU１０１が実行するプログラムや各種のデータを記憶する。通信部１０９は、インターネットやローカルエリアネットワークなどのネットワークを介して、または直接に接続された外部の装置と通信する。
【０１３１】
なお、通信部１０９は、無線または有線による通信を行うものでもよいし、無線と有線の両方の通信が可能なものでもよい。さらに、その通信方式も特に限定されず、例えば、無線の場合、IEEE(The Institute of Electrical and Electronic Engineers)802.11a，802.11b、および802.11gなどの無線LAN（Local Area Network）、またはBluetooth等様々な無線通信方式が利用可能である。同様に、有線の場合も、IEEE1394，Ethernet（登録商標）やUSB（Universal Serial Bus）等様々な有線通信方式が利用可能である。
【０１３２】
入出力インタフェース１０５に接続されているドライブ１１０は、磁気ディスク、光ディスク、光磁気ディスク、或いは半導体メモリなどのリムーバブルメディア１２１が装着されたとき、それらを駆動し、そこに記録されているプログラムやデータなどを取得する。取得されたプログラムやデータは、必要に応じて記憶部１０８に転送され、記憶される。また、プログラムやデータは、通信部１０９を介して取得され、記憶部１０８に記憶されてもよい。
【０１３３】
本発明は、単独の記録再生装置は勿論、表示装置と記録再生装置が一体となった装置（の記録再生処理部）にも適用することができる。
【０１３４】
本明細書において、フローチャートに記述されたステップは、記載された順序に沿って時系列的に行われる処理はもちろん、必ずしも時系列的に処理されなくとも、並列的あるいは個別に実行される処理をも含むものである。
【０１３５】
また、本明細書において、システムとは、複数の装置により構成される装置全体を表すものである。
【０１３６】
なお、本発明の実施の形態は、上述した実施の形態に限定されるものではなく、本発明の要旨を逸脱しない範囲において種々の変更が可能である。
【図面の簡単な説明】
【０１３７】
【図１】本発明を適用した記録再生システムの一実施の形態の構成例を示すブロック図である。
【図２】記録再生装置１１の詳細な構成例を含む記録再生システム１のブロック図である。
【図３】コントローラ２９の機能的構成を表すブロック図である。
【図４】更新録画指定画面６１の画面例を示す図である。
【図５】更新録画番組として検出される番組の検出結果例を示す図である。
【図６】更新録画番組として検出される番組のその他の検出結果例を示す図である。
【図７】更新録画番組検出処理について説明するフローチャートである。
【図８】再生処理について説明するフローチャートである。
【図９】更新録画番組の再生中における更新録画番組検出処理について説明するフローチャートである。
【図１０】切り替えの確認メッセージについて説明する図である。
【図１１】本発明を適用したコンピュータの一実施の形態の構成例を示すブロック図である。
【符号の説明】
【０１３８】
１  記録再生システム，  １１  記録再生装置，  １２  リモートコマンダ，  １３  表示装置，  ２９  コントローラ，  ５１  画面制御部，  ５２  録画条件決定部，  ５３  番組検出部，  ５４  記録制御部，  ５５  再生制御部
【図１】
2007150499.tif 000003
【図２】
2007150499.tif 000004
【図３】
2007150499.tif 000005
【図４】
2007150499.tif 000006
【図５】
2007150499.tif 000007
【図６】
2007150499.tif 000008
【図７】
2007150499.tif 000009
【図８】
2007150499.tif 000010
【図９】
2007150499.tif 000011
【図１０】
2007150499.tif 000012
【図１１】
2007150499.tif 000013